(57)【要約】【課題】  位置決めした状態で取り付けが行え、設計時で予測したバネ力を確保すると共に取り付けにかける時間の短縮及び取り付けにかかるコストの低減を図ること。【解決手段】  基端側に取付部２０を有すると共に、先端側に被押圧部２１を有する押しボタン１２と、基端側に取付面２５を有すると共に、該取付面２５から延出するように形成されて被押圧部２１を裏面から押し上げ方向に付勢する板状の付勢部２６とを有する板バネ２７と、該板バネ２７と押しボタン１２とを重ね合わせた状態で、取付部２０と取付面２５とを固定する固定手段３０とを備える押しボタンスイッチ装置の板バネの取付構造であって、板バネ２７は、押しボタン１２に設けられた突起部１２ａに嵌合されることにより、該押しボタン１２に対して位置決めがされる凹部２８が形成されている板バネの取り付け構造を提供する。【選択図】  図３
2005276752.tif 000002
【特許請求の範囲】
【請求項１】
基端側に取付部を有すると共に、先端側に被押圧部を有する押しボタンと、
基端側に取付面を有すると共に、該取付面から延出するように形成されて前記被押圧部を裏面から押し上げ方向に付勢する板状の付勢部とを有する板バネと、
該板バネと前記押しボタンとを重ね合わせた状態で、前記取付部と前記取付面とを固定する固定手段とを備える押しボタンスイッチ装置の板バネの取付構造であって、
前記板バネは、前記押しボタンに設けられた突起部に嵌合されることにより、該押しボタンに対して位置決めがされる凹部が形成されていることを特徴とする板バネの取付構造。
【請求項２】
請求項１に記載の板バネの取付構造において、
前記板バネは、前記取付面に基端側がそれぞれ接続された前記付勢部を複数有し、複数の前記押しボタンを付勢可能とされていることを特徴とする板バネの取付構造。
【請求項３】
本体の所定位置に押し下げ可能に設けられた押しボタンと、
基端側に取付面を有すると共に、該取付面から延出するように形成されて前記押しボタンを裏面から押し上げ方向に付勢する板状の付勢部とを有する板バネと、
該付勢部と前記押しボタンとを重ね合わせた状態で、前記取付面を前記本体の裏面に固定する固定手段とを備える押しボタンスイッチ装置の板バネの取付構造であって、
前記板バネは、前記本体の裏面に設けられた突起部に嵌合されることにより、前記押しボタンに対して位置決めがされる凹部が形成されていることを特徴とする板バネの取付構造。
【請求項４】
請求項３に記載の板バネの取付構造において、
前記板バネは、前記取付面に基端側がそれぞれ接続された前記付勢部を複数有し、前記押しボタンを多点で付勢可能とされていることを特徴とする板バネの取付構造。
【請求項５】
請求項１から４のいずれか１項に記載の板バネの取付構造において、
前記板バネは、前記凹部を複数備え、複数形成された前記突起部にそれぞれ嵌合可能とされていることを特徴とする板バネの取付構造。
【請求項６】
請求項１から５のいずれか１項に記載の板バネの取付構造において、
前記付勢部は、予め押し上げ方向に向けて湾曲するように形成されていることを特徴とする板バネの取付構造。
【請求項７】
請求項１から６のいずれか１項に記載の板バネの取付構造を有していることを特徴とする電子機器。
【発明の詳細な説明】
【技術分野】
【０００１】
本発明は、押しボタンスイッチ等に使用される板バネの取付構造及びこれを備えた電子機器に関するものである。
【背景技術】
【０００２】
従来、押しボタンスイッチには、棒バネやコイルバネが使用されており、スイッチの垂直方向への作動時(押し下げ操作時)にバネ力を発生させる構造が一般的に採用されている。しかしながら、棒バネやコイルバネは、平面的位置決めを行うガイド部材等が必要である。そのため、片持ち固定を行う押しボタンスイッチ等には、板バネが多く使用されている。
【０００３】
この板バネを利用した押しボタンスイッチは、様々なものが提供されており、例えば、電子機器の蓋の開閉を検出する押しボタンスイッチが知られている（例えば、特許文献１参照）。
【０００４】
上記押しボタンスイッチは、片持ちの板バネを有しており、該板バネの一端にはスイッチが取り付けられ、板バネの他端が取付ねじによって筐体に固定されている。また、スイッチは、筐体の表面から突出する押しボタン部を有している。
【０００５】
このように構成された押しボタンスイッチにおいては、電子機器の蓋を閉じると、押しボタン部が押されてスイッチが入る。同時に、板バネがスイッチの動作方向に曲がる。これにより、電子機器の蓋を完全に閉じることができる。また、板バネにより、組み立て時のばらつきを吸収することができる。  
【特許文献１】特開平５−９０７７１号公報（図１等）
【発明の開示】
【発明が解決しようとする課題】
【０００６】
ところで、上記特許文献１等に記載される押しボタンスイッチの板バネは、外縁部がエッジ形状、即ち、丸みを帯びた形状ではないので、取付時に所定の位置からずれた場合には、他の構成品や取付架台等と接触して引っ掛かりが生じ、設計時で予測した所定のバネ力を得られない恐れがあった。そのため、板バネを高精度に作製すると共に、取り付け時においても精度が要求され、取り付け時間及びコストがかかるものであった。また、エッジによる引っ掛かりを極力なくすため、棒バネやコイルバネと異なり板バネの両側に隙間を設ける必要があった。
【０００７】
更に、上記特許文献１に記載された押しボタンスイッチとは異なり、例えば、押し下げ可能な押しボタンの下面に重ね合わせた状態に配され、該押しボタンを押し下げ操作した際に、押しボタンを下面から上方（押し下げ方向に対抗する方向）に向けて、即ち、押し上げ方向に向けて付勢する板バネを有する押しボタンスイッチ等も知られている。この場合においても、板バネの取付位置が、所定の位置からずれた場合には、押しボタンと板バネのエッジとが接触し、上述したと同様に設計時で予測した所定のバネ力を得られない恐れがあった。
【０００８】
本発明は、このような事情に考慮してなされたもので、その目的は、位置決めした状態で取り付けが行え、設計時で予測したバネ力を確保すると共に取り付けにかける時間の短縮及び取り付けにかかるコストの低減を図ることができる板バネの取付構造及びこれを備えた電子機器を提供する。
【課題を解決するための手段】
【０００９】
本発明は、前記課題を解決するために以下の手段を提供する。
【００１０】
本発明の板バネの取付構造は、基端側に取付部を有すると共に、先端側に被押圧部を有する押しボタンと、基端側に取付面を有すると共に、該取付面から延出するように形成されて前記被押圧部を裏面から押し上げ方向に付勢する板状の付勢部とを有する板バネと、該板バネと前記押しボタンとを重ね合わせた状態で、前記取付部と前記取付面とを固定する固定手段とを備える押しボタンスイッチ装置の板バネの取付構造であって、前記板バネは、前記押しボタンに設けられた突起部に嵌合されることにより、該押しボタンに対して位置決めがされる凹部が形成されていることを特徴とするものである。
【００１１】
この発明に係る板バネの取付構造においては、板バネと押しボタンとを重ね合わせると、突起部と凹部とが嵌合し、押しボタンに対して板バネが所定の位置に位置決めされる。この状態で、例えば、ねじ等の固定手段により取付面と取付部とを固定することで、板バネの取り付けが行える。
【００１２】
この際、上述したように、板バネを押しボタンに対して位置決めした状態で固定できるので、従来のように板バネの取り付け位置がずれることで、板バネのエッジと押しボタンとが接触することを防止できる。従って、設計時で予測した板バネのバネ力、即ち、付勢部のバネ力を確保することができる。また、被押圧部を押圧(押し下げ操作)した際に、所定の感触が得られるので、押し下げ操作を認識しやすく、操作し易い。
【００１３】
また、位置決めした状態で板バネの取り付けが行えるので、取り付けが容易となり、取り付けにかける時間を短縮することができると共に取り付けにかかるコストの低減を図ることができる。
【００１４】
また、本発明の板バネの取付構造は、上記本発明の板バネの取付構造において、前記板バネが、前記取付面に基端側がそれぞれ接続された前記付勢部を複数有し、複数の前記押しボタンを付勢可能とされていることを特徴とするものである。
【００１５】
この発明に係る板バネの取付構造においては、設計時で予測したバネ力で複数の押しボタンを押し上げ方向に付勢することできる。また、複数の押しボタンに対応できるので、設計の自由度を向上することができる。
【００１６】
また、本発明の板バネの取付構造は、本体の所定位置に押し下げ可能に設けられた押しボタンと、基端側に取付面を有すると共に、該取付面から延出するように形成されて前記押しボタンを裏面から押し上げ方向に付勢する板状の付勢部とを有する板バネと、該付勢部と前記押しボタンとを重ね合わせた状態で、前記取付面を前記本体の裏面に固定する固定手段とを備える押しボタンスイッチ装置の板バネの取付構造であって、前記板バネは、前記本体の裏面に設けられた突起部に嵌合されることにより、前記押しボタンに対して位置決めがされる凹部が形成されていることを特徴とするものである。
【００１７】
この発明に係る板バネの取付構造においては、付勢部と押しボタンとを重ね合わせた状態で、ねじ等の固定手段により取付面を本体の裏面に固定する際に、突起部と凹部とが嵌合することで押しボタンに対して板バネを所定の位置に位置決めした状態で固定することができる。即ち、押しボタンは本体の所定位置に設けられており、また、板バネは突起部及凹部により本体の裏面の所定位置に固定されるので、押しボタンスイッチ及び板ばねは、共に本体に対して所定位置に位置決めされる。これにより、押しボタンに対して板ばねを位置決めすることができる。
【００１８】
従って、従来のように板バネの取り付け位置がずれることで、板バネのエッジと押しボタンとが接触することを防止でき、設計時で予測した板バネのバネ力、即ち、付勢部のバネ力を確保することができる。よって、押しボタンを押し下げ操作した際に、所定の感触が得られるので、押し下げ操作を認識しやすく、操作し易い。
【００１９】
また、位置決めした状態で板バネの取り付けが行えるので、取り付けが容易となり、取り付けにかける時間を短縮することができると共に取り付けにかかるコストの低減を図ることができる。
【００２０】
また、本発明の板バネの取付構造は、上記本発明の板バネの取付構造において、前記板バネが、前記取付面に基端側がそれぞれ接続された前記付勢部を複数有し、前記押しボタンを多点で付勢可能とされていることを特徴とするものである。
【００２１】
この発明に係る板バネの取付構造においては、設計時で予測したバネ力で押しボタンを多点で付勢するので、大きな押しボタンにも対応でき、設計の自由度を向上することができる。
【００２２】
また、本発明の板バネの取付構造は、上記本発明のいずれかに記載の板バネの取付構造において、前記板バネが、前記凹部を複数備え、複数形成された前記突起部にそれぞれ嵌合可能とされていることを特徴とするものである。
【００２３】
この発明に係る板バネの取付構造においては、複数形成された突起部に嵌合可能な複数の凹部を有しているので、より確実に板ばねの位置決めをした状態で、取り付けを行うことができる。また、板ばねの取り付けがさらに容易となる。
【００２４】
また、本発明の板バネの取付構造は、上記本発明のいずれかに記載の板バネの取付構造において、前記付勢部が、予め押し上げ方向に向けて湾曲するように形成されていることを特徴とするものである。
【００２５】
この発明に係る板バネの取付構造においては、付勢部が予め押し上げ方向に湾曲しているので、押しボタンをより確実に付勢する。また、長期間使用したとしても、ばね力の低下を極力なくすことができるので、板ばねの信頼性を向上することができる。
【００２６】
また、本発明の電子機器は、上記本発明のいずれか１つの板バネの取付構造を有していることを特徴とするものである。
【００２７】
この発明に係る電子機器においては、板ばねの取り付け構造により、設計時で予測した付勢部のバネ力を確保することができるので、押しボタンの押し下げ操作を認識しやすく、操作性の向上を図ることができる。また、位置決めした状態で板ばねの取り付けを行なうことができるので、取り付けにかける時間を短縮することができると共に取り付けにかかるコストの低減を図ることができる。
【発明の効果】
【００２８】
本発明に係る板バネの取付構造によれば、板バネを押しボタンに対して位置決めした状態で固定できるので、従来のように板バネの取り付け位置がずれることで、板バネのエッジと押しボタンとが接触することを防止できる。従って、設計時で予測した板バネのバネ力を確保することができる。また、被押圧部を押し下げ操作した際に、所定の感触が得られるので、押し下げ操作を認識しやすく操作し易い。また、取り付けが容易となり、取り付けにかける時間を短縮することができると共に取り付けにかかるコストの低減を図ることができる。
【００２９】
また、本発明に係る電子機器によれば、押しボタンの押し下げ操作を認識しやすく、操作性の向上を図ることができる。また、位置決めした状態で板ばねの取り付けを行なうことができるので、取り付けにかける時間を短縮することができると共に取り付けにかかるコストの低減を図ることができる。
【発明を実施するための最良の形態】
【００３０】
以下、本発明に係る板バネの取付構造及び電子機器の一実施形態を、図１から図５を参照して説明する。
【００３１】
本実施形態では、電子機器を、図１に示すヘルスケアシステム１で使用されるホームサーバ２として以下に説明する。なお、電子機器は、このホームサーバ２に限定されるものではない。
【００３２】
上記ヘルスケアシステム１は、自宅Ｈ１で生活している被検者Ｐの血糖値や脈拍数等の生体情報を、医療機関等の健康管理ステーションＨ２で入手及び管理すると共に、入手した情報に基づいて健康管理ステーションＨ２から被検者Ｐに適切な指示等を与えることができるシステムである。
【００３３】
このヘルスケアシステム１は、上記被検者Ｐの、例えば、手首等に装着可能とされて被検者Ｐの生体情報を測定する腕時計型の生体情報端末３、該生体情報端末３とＢｌｕｅｔｏｏｔ等の無線通信を行って、測定された生体情報を取得する上記ホームサーバ２と、該ホームサーバ２と通信回線４を介して生体情報を入手すると共に管理を行うセントラルサーバ５とを備えている。この通信回線４は、例えば、公衆回線網、専用線、ＬＡＮ（ローカルエリアネットワーク）、インターネット等の回線が１つ又は複数組み合わされて適用され、有線又は無線によって通信が行われる。
【００３４】
上記生体情報端末３は、測定した生体情報を上記ホームサーバ２に通信可能とされている。この通信としては、例えば、所定の時間間隔を空けて連続的に自動通信したり、或いは、ある時刻に達したときに自動通信したり、或いは、被検者Ｐの操作により通信されるよう設定されている。また、生体情報の送信だけでなく、例えば、ホームサーバ２を介してセントラルサーバ５からの制御信号を受信し、この制御信号を受けたときに生体情報をホームサーバ２に通信できるように設定されている。
【００３５】
上記セントラルサーバ５は、健康管理ステーションＨ２で医師や看護士等の管理者により操作され、入手した生体情報を管理者によって管理できるようになっている。また、セントラルサーバ５は、上記ホームサーバ２の動作を制御したり、ホームサーバ２にメッセージを送信することができるようになっている。
【００３６】
上記ホームサーバ２は、図２から図５に示すように、例えば、被検者Ｐの自宅Ｈ１内に設置されるものであり、アルミや鉄等の金属材料により箱状に形成された筐体１０ａと、プラスチック等で形成されて筐体１０ａの上部に嵌合固定される本体カバー１０ｂとを有する本体１０と、本体カバー１０ｂの表面に配されて上記生体情報端末３との間で生体情報の通信を行う無線アンテナ１１と、本体カバー１０ｂの表面に配されて各種の操作を行う複数の押しボタン、即ち、電源ボタン１２、ＣＡＬＬボタン１３、ＲＥＭＯＴＥボタン１４及びＡＵＸ（予備）ボタン１５と、各動作状態に応じて発光する複数のＬＥＤ１６とが設けられている。
【００３７】
上記無線アンテナ１１は、本体カバー１０ｂの表面に突出するよう設けられ、筐体１０ａ内に設けられた図示しない送受信部とで生体情報の通信が可能とされている。
【００３８】
上記複数の押しボタン１２、１３、１４、１５は、押し下げ操作に応じて筐体１０ａ内部に設けられた図示しないＬＥＤからの光を透過させて、表面が発光する照光式の押しボタンスイッチである。なお、これら複数のボタン１２、１３、１４、１５は、押し下げ操作に応じて発光する色や発光時間が異なるように制御されている。
【００３９】
ＣＡＬＬボタン１３は、例えば、上記セントラルサーバ５から通信回線４を介してメッセージを受信したときに発光するようになっている。これにより、被検者Ｐは、健康管理ステーションＨ２からメッセージが届いたことを知ることができ、また、ＣＡＬＬボタン１３を押し下げ操作（押下）することで、メッセージを受信したことを健康管理ステーションＨ２に知らせることことができる。
【００４０】
更に、筐体１０ａ内には、スピーカ１７が設けられており、筐体１０ａの側面に形成された音孔１０ｃを通して上記メッセージを音声出力できるようになっている。
【００４１】
また、上記ＲＥＭＯＴＥスイッチ１４は、インターフェースに接続されている周辺デバイスの動作制御を行う押しボタンである。
【００４２】
ここで、本発明に係る板バネの取付構造を、上記複数のボタン１２、１３、１４、１５を例にして説明する。まず、最初に電源ボタン１２に適用した場合について説明する。
【００４３】
本発明に係る板バネの取付構造は、図３及び図４に示すように、基端側に取付部２０を有すると共に、先端側に被押圧部２１を有する電源ボタン（押しボタン）１２と、基端側に取付面２５を有すると共に、該取付面２５から延出するように形成されて電源ボタン１２を裏面から押し上げ方向に付勢する板状の付勢部２６とを有する板バネ２７と、該板バネ２７と電源ボタン１２とを重ね合わせた状態で、取付部２０と取付面２５とを本体カバー１０ｂの裏面に形成された図示しないねじ固定用部材に固定する２つのスクリュ（固定手段）３０とを有する押しボタンスイッチ装置の板バネの取付構造であり、上記板バネ２７は、電源ボタン１２に設けられた突起部１２ａに嵌合されることにより、電源ボタン１２に対して位置決めがされる凹部２８が形成されている。
【００４４】
上記電源ボタン１２は、ゴム等の弾性材料でシート状に形成されており、被押圧部２１が本体カバー１０ｂの表面から突出して、押し下げ操作がされるようになっている。この被押圧部２１は、取付部２０から延出したアーム部２２の先端に設けられている。また、被押圧部２１には、中心部が円形状に凹んだ窪み２１ａが形成されており、筐体１０ａの内部に配された図示しないＬＥＤから発光された光が照射されるようになっている。これにより、表面が発光し易くなっている。また、アーム部２２には、被押圧部２１に隣接する位置に略円筒状の突出部２３が形成されている。この突出部２３は、被押圧部２１が押し下げ操作された際に、筐体１０ａの内部に設けられたスイッチを先端で押圧するようになっている。
【００４５】
また、取付部２０には、上記スクリュ３０を貫通させる２つの貫通孔２０ａが形成されていると共に、上記突起部１２ａが２つ形成されている。この２つの突起部１２ａは、アーム部２２の延出方向と略同位置方向に並びように形成されている。
【００４６】
上記板バネ２７は、例えば、ステンレス等の金属材料により板状に形成され、付勢部２６がアーム部２２を覆う大きさに形成されている。取付面２５には、上記スクリュ３０を貫通させる２つの貫通孔２５ａが形成されていると共に、上記凹部２８が２つ形成されている。また、付勢部２６の先端は、Ｕ字状に形成されており、上記突出部２３を間に挟むようになっている。また、Ｕ字状の先端には、それぞれ直角に折り曲げられた爪部２９が形成されている。この爪部２９は、被押圧部２１の窪み２１ａの外縁部に引っ掛かるようになっている。
【００４７】
このように構成された板バネ２７の取付構造により、電源ボタン１２及び板バネ２７を本体カバー１０ｂの裏面に取り付ける場合について説明する。
【００４８】
まず、電源ボタン１２を本体カバー１０ｂの裏面の所定位置に位置させる。そして、板バネ２７を電源ボタン１２の上に重ねる。この際、板バネ２７の凹部２８を、電源ボタン１２の突起部１２ａに嵌合させて、電源ボタン１２と板バネ２７とを重ね合わせる。これにより、電源ボタン１２に対して板バネ２７を位置決めさせることができる。これにより、Ｕ字上に形成された板バネ２７の先端は、接触することなく確実に突出部２３を間に挟むように配される。また、板バネ２７の先端の爪部２９が、被押圧部２１の窪み２１ａの外縁部に引っ掛けることからも、位置決めがなされる。
【００４９】
そして、スクリュ３０を板バネ２７及び電源ボタン１２の貫通孔２０ａ、２５ａを介してねじ固定用部材のねじ溝に螺合させ、板バネ２７及び電源ボタン１２を本体カバー１０ｂの裏面に取り付ける。この際、上述したように、電源ボタン１２に対して板バネ２７が位置決めされているので、スクリュ３０を螺合させる際に、板バネ２７の位置がずれることはない。  
【００５０】
従って、板バネ２７の取り付けが容易であり、取り付けにかける時間を短縮することができる。また、電源ボタン１２の突出部２３と板バネ２７とが接触することはないので、電源ボタン１２を押し下げ操作したときに、突出部２３と板バネ２７のエッジとが接触して、引っ掛かることはない。よって、設計時で予測した板バネ２７のバネ力、即ち、付勢部２６のバネ力を確保することことができる。そのため、電源ボタン１２を押し下げ操作したときに、所定の感触を得ることができ、押し下げ操作を認識し易く、操作し易い。
【００５１】
次に、本発明に係る板バネの取付構造を、ＡＵＸボタン１５に適用した場合について説明する。
【００５２】
ＡＵＸボタン１５は、図４及び図５に示すように、上述した電源ボタン１２と同様に、ゴム等の弾性材料によりシート状に形成されている。また、ＡＵＸボタン１５は、取付面２５から複数のアーム部２２が延出しており、それぞれのアーム部２２の先端に被押圧部２１が設けられて各被押圧部２１を押し下げ操作可能とされている。なお、本実施形態においては、３つの被押圧部２１を有している。
【００５３】
また、ＡＵＸボタン１５は、電源ボタン１２と同様に、窪み２１ａ及び突出部２３を有しており、取付面２５にはスクリュ３０を貫通させる３つの貫通孔が形成されると共に、２つの突起部１５ａが形成されている。
【００５４】
また、板バネ２７は、取付面２５に基端側がそれぞれ接続された３つの付勢部２６を有しており、各被押圧部２１を押し上げ方向に付勢するようになっている。また、各付勢部２６は、先端がＵ字状に形成されると共に、爪部２９が設けられている。また、取付面２５には、スクリュ３０を貫通させる３つの貫通孔２０ａ及び突起部１２ａと嵌合可能な３つの凹部２８が形成されている。
【００５５】
このように構成された板バネ２７の取付構造により、ＡＵＸボタン１５及び板バネ２７を本体カバー１０ｂの裏面に取り付ける場合には、上述した電源ボタン１２の場合と同様に、まずＡＵＸボタン１５を本体カバー１０ｂの裏面の所定位置に位置させた後、突起部１５ａと凹部２８とを嵌合させた状態で、ＡＵＸボタン１５と板バネ２７とを重ね合わせる。これにより、ＡＵＸボタン１５に対して板バネ２７が位置決め去れる。よって、スクリュ３０をねじ固定用部材のねじ溝に螺合させる際に、板バネ２７の位置がずれることはないので、板バネ２７の取り付けが容易であり、取り付けにかける時間を短縮することができる。また、突出部２３と板バネ２７のエッジとが接触することを防止することができる。よって、上述した電源ボタン１２と同様に、設計時で予測した板バネ２７のバネ力、即ち、付勢部２６のバネ力を確保することことができる。
【００５６】
特に、被押圧部２１を複数有しているので、設計の自由度が向上し、本体カバー１０ｂのスペースを有効に利用することができる。
【００５７】
次に、本発明に係る板バネの取付構造を、ＣＡＬＬボタン１３に適用した場合について、図４を参照して説明する。なお、ＲＥＭＯＴＥボタン１４の取り付けは、ＣＡＬＬボタン１３と同様である。
【００５８】
ＣＡＬＬボタン１３は、上述した電源ボタン１２と同様に、ゴム等の弾性材料によりシート状に形成され、本体カバー１０ｂの所定位置に押し下げ可能に配されている。
【００５９】
また、板バネ４０は、ステンレス等の金属材料により板状且つコの字状に形成されている。即ち、取付面２５の両側からそれぞれ突出した２つの付勢部２６を有している。また取付面２５には、２つのスクリュ３０を貫通させる２つの図示しない貫通孔と、本体カバー１０ｂの裏面に形成された２つの突起部４１に嵌合可能な２つの凹部２８が形成されている。
【００６０】
このように構成された板バネの取付構造により、ＣＡＬＬボタン１３及び板バネ４０を本体カバー１０ｂの裏面に取り付ける場合について説明する。
【００６１】
先ず、ＣＡＬＬボタン１３を本体カバー１０ｂの所定位置に位置させる。そして、突起部４１と凹部２８とを嵌合させて板バネ４０を本体カバー１０ｂの裏面に位置させる。この状態は、付勢部２６とＣＡＬＬボタン１３とが重ね合わされた状態である。つまり、本体カバー１０ｂを介して、ＣＡＬＬボタン１３に対して板バネ２７を位置決めさせることができる。位置決め後、スクリュ３０をねじ固定用部材に螺合させて、板バネ４０の取付面２５を本体カバー１０ｂの裏面に取り付ける。
【００６２】
この際、電源ボタン１２及びＡＵＸボタン１５と同様に、ＣＡＬＬボタン１３に対して板バネ４０が位置決めされているので、スクリュ３０を螺合させる際に、板バネ４０の位置がずれることはない。従って、板バネ４０の取り付けが容易であり、取り付けにかける時間を短縮することができる。また、板バネ４０を確実に取り付けることができるので、設計時で予測した板バネ４０のバネ力を確保することことができる。そのため、ＣＡＬＬボタン１３を押し下げ操作したときに、所定の感触を得ることができ、押し下げ操作を認識し易く、操作し易い。また、ＣＡＬＬボタン１３を２つの付勢部１６で付勢しているので、ＣＡＬＬボタン１３を大きなサイズに設計したとしても、確実に所定のバネ力で押し上げすることができる。
【００６３】
なお、本発明の技術範囲は上記実施の形態に限定されるものではなく、本発明の趣旨を逸脱しない範囲において種々の変更を加えることが可能である。
【００６４】
例えば、上記実施形態においては、上述したように、電子機器としてホームサーバを例として説明したが、これに限られず、押しボタンを有する電子機器であれば構わない。
【００６５】
また、各押しボタンを照光式の押しボタンとして説明したが、これに限られるものではない。また、突起部に嵌合可能な凹部を取付面に形成したが、これに限られず、付勢部に形成して突起部に嵌合させても構わない。
【００６６】
また、電源ボタンに適用した場合に、２つの凹部をアーム部の延出方向と略同一方向に並ぶように配したが、この際、２つの凹部を該方向に延びた楕円状に形成しても構わない。こうすることで、Ｕ字状に形成された先端が突出部に接触することを防止しつつ、若干の位置調整を行うことができるので、より好適である。
【００６７】
更に、付勢部を予め押し上げ方向に向けて湾曲するように形成しても構わない。こうすることで、押しボタンをより確実に付勢できると共に、長期間使用したとしても、ばね力の低下を極力防止することができる。従って、板バネの信頼性を向上することができる。
【図面の簡単な説明】
【００６８】
【図１】本発明に係る板バネの取付構造及びホームサーバ（電子機器）を説明するための図であって、ホームサーバを構成品とするヘルスケアシステムの全体構成図である。
【図２】図１に示すヘルスケアシステムの構成品であって、本発明に係るホームサーバの外観図である。
【図３】本発明の板バネの取付構造を説明するための図であって、図２に示すホームサーバを構成している電源ボタン及び板バネの取付状態を示す分解斜視図である。
【図４】図３に示す状態電源ボタン及び板バネを本体カバーの裏面に取り付けた状態を示す斜視図である。
【図５】本発明の板バネの取付構造を説明するための図であって、図２に示すホームサーバを構成しているＡＵＸボタン及び板バネの取付状態を示す分解斜視図である。
【符号の説明】
【００６９】
２    ホームサーバ（電子機器）
１０    本体
１２    電源ボタン（押しボタン）
１２ａ、１５ａ、４１    突起部
１３    ＣＡＬＬボタン（押しボタン）
１４    ＲＥＭＯＴＥボタン（押しボタン）
１５    ＡＵＸボタン（押しボタン）
２０    取付部
２１    被押圧部
２５    取付面
２６    付勢部
２７、４０    板バネ
３０    スクリュ（固定手段）
２８    凹部
【図１】
2005276752.tif 000003
【図２】
2005276752.tif 000004
【図３】
2005276752.tif 000005
【図４】
2005276752.tif 000006
【図５】
2005276752.tif 000007